【手続補正書】
【提出日】平成17年8月30日(2005.8.30)
【手続補正１】
【補正対象書類名】手続補正書
【補正対象項目名】手続補正７
【補正方法】変更
【補正の内容】
【手続補正７】
【補正対象書類名】明細書
【補正対象項目名】全文
【補正方法】変更
【補正の内容】
【発明の詳細な説明】
【発明の名称】遊技機械ユニット設備用補助用具
【技術分野】
【技術分野】
【０００１】  本発明は、球体またはコイン体を使用する遊技機械を少なくとも一台設置するためのユニット設備において、前記ユニット設備を構成し前記遊技機械を載設する板体の上面または下面に、前記遊技機械の正面から前方に向かって所定の距離をスライドしたり元の位置に収納したりする手段を備えたスライド棚を設けたことを特徴とする、遊技機械ユニット設備用補助用具に関するものである。
【背景技術】
【０００２】  従来、一般的には球体を使用する遊技機械（例えば、パチンコ台）は、日本で誕生したオリジナル遊技機械であるせいか、前記遊技機械の下位には「玉箱」や遊技者の持参物などを載置できる台やスペースを有している場合が多い。  また、一般的にはコイン体を使用する遊技機械（例えば、スロットマシーン）の場合は、カジノの文化を踏襲しているせいか、前記遊技機械の下位に「コイン箱」や遊技者の持参物などを載置できる台やスペースが無いのが普通である。【０００３】そこで、近年では、従来の遊技機械を改良しようという開発案件が増加してきたが、中でも、「コイン箱」や「玉箱」との関連の開発案件が目立ってきた。  例えば、パチンコユニット設備において玉箱の乗せ置きに際して利用できる台を着脱可能にし、ユニットの運搬、据付に際して邪魔にならない全体形状が得られるようにすることを課題とし、その解決手段として、パチンコ台を取り付ける開口部を備えてパチンコ玉を送り出すパチンコ玉供給機構が組み入れられたユニット島本体に、開口部に取り付けられるパチンコ台の下方に位置して計数機を内蔵する膳台を着脱可能にして取り付けた、パチンコユニット設備が知られている。（特開平９−３２２９７５号公報を参照する）また、例えば、遊技客が持参した小物やコイン箱などを、スロットマシンの下方に収納している回転テーブルを引出してその上に安全かつ便利に載置可能とすることを目的として、その構成が、多数のスロットマシンを並設したスロットマシン島において、各スロットマシンを支持する支持台の下方には下方の腰板上との間に隙間を設けるとともに、該隙間には前面側に突出させることができる物置き用の回転テーブルを内装して構成したスロットマシン島の物置き用テーブルの案件が知られている。（特開平５−１６１７５８号公報を参照する）
【発明が解決しようとする課題】
【０００４】  ところが、遊技者が、例えばスロットマシーンや、その他コイン体を使用する遊技機械を使って遊技に興じる際に、前記遊技機械より払い出されるコイン体が、一般的に遊技場で使用されている一つのコイン箱の許容量以上に放出された場合、遊技場に設置してある他の「コイン箱」にコイン体を移すが、この際「コイン箱」を固定しているのは、遊技している遊技者の両足で支えている。  また、遊技者が、例えばパチンコ台や、その他球体を使用する遊技機械を使って遊技に興じる際に、前記遊技機械より払い出される球体が、一般的に遊技場で使用されている一つの「玉箱」の許容量以上に放出された場合、遊技場に設置してある他の「玉箱」に球体を移すが、遊技機械より払い出される球体が多数になった場合に、パチンコ台の下部に有してある玉箱の載置スペースでは不足して、床に置いたり両足に載せている場合が多い。  さらに、「コイン箱」や「玉箱」がコイン体や球体によって十分に満たされるようになると、一箱約３キロから５キロの重量になり、遊技者が、長時間の遊技の妨げになることで精神的苦痛を感じたり、「コイン箱」や「玉箱」を支え続けることに肉体的苦痛を感じたりするという声が多くなってきた。
【０００５】  また、特開平９−３２２９７５号のパチンコユニット設備の開発案件では、パチンコ台を取り付ける開口部を備えてパチンコ玉を送り出すパチンコ玉供給機構が組み入れられたユニット島本体に、開口部に取り付けられるパチンコ台の下方に位置して膳台を着脱可能にして取り付けたことを特徴としているが、本案の膳台では汎用性がないために、採用しづらいという声がでている。また、特開平５−１６１７５８号のスロットマシン島の物置き用テーブルの案件では、各スロットマシンを支持する支持台の下方には下方の腰板上との間に隙間を設けるとともに、該隙間には前面側に突出させることができる物置き用の回転テーブルを特徴としているが、既存のスロットマシン島や遊技機械を少なくとも一台設置するためのユニット設備において、各スロットマシンや遊技機械を支持する支持台の下方には下方の腰板上との間に隙間を設けることは施工業者の立場から見ると作業性に問題（例えば、困難な作業性等）があり採用しずらいという指摘があり、また、前記隙間を設けることは各スロットマシンや遊技機械の高さに変化が生じ各スロットマシンや遊技機械を顧客に提供するサービス業者の立場からも採用しずらいという指摘を受けている。
【０００６】  そこで、本発明は、上述した問題点を解決するために成されたものであり、遊技者が、コイン体を使用する遊技機械（例えば、スロットマシーン）または、これらに順ずる遊技機械を使って遊技する際に、遊技機械より払い出されコイン等が、メーカー規格の「受け皿」以上に放出された場合でも、遊技場に設置してある「コイン箱」にコインを快適に移しやすくすることを可能にする。また、コイン体で満たされると一箱約３キロから５キロの重量になる「コイン箱」を両足で固定しなくとも良いようにする、遊技機械ユニット設備用補助用具の提供を目的にする。  また、遊技者が、球体を使用する遊技機械（例えば、パチンコ台）または、これらに順ずる遊技機械を使って遊技する際に、遊技機械より払い出されパチンコ玉等が、メーカー規格の「受け皿」以上に放出された場合でも、遊技場に設置してある「玉箱」にパチンコ玉を快適に移しやすくすることを可能にする。また、遊技者が、「玉箱」や持参した荷物や物品などを載置しやすくすることで、遊技者が、快適に遊技できるようにする、遊技機械ユニット設備用補助用具の提供を目的にする。また、既存のスロットマシン島や遊技機械を少なくとも一台設置するためのユニット設備において、前記設備に対する施工を最小限度で済むような物品載置手段を遊技機械ユニット設備用補助用具として提供する。
【課題を解決するための手段】
【０００７】  課題を解決するための第一の手段としては、球体またはコイン体を使用する遊技機械を少なくとも一台設置するためのユニット設備において、前記ユニット設備を構成し前記遊技機械を載設する板体の上面または下面に、前記遊技機械の正面から前方に向かって所定の距離をスライドしたり元の位置に収納したりする手段を備えたスライド棚を設けたことを特徴とする、遊技機械ユニット設備用補助用具を提供することである。
【０００８】  前記球体に関しては、金属製でもセラミック製でも木製でもプラスチック製でも構わない。前記コイン体に関しては、円形で板状の物であれば、金属製でもセラミック製でも木製でもプラスチック製でも構わない。  前記遊技機械に関しては、ゲームに景品などがかかった遊びや勝負事を行なう機械のことであり、スロットマシーン、パチンコ、射的、ビリヤードなどが知られているが、本発明では主に、スロットマシーンまたは回胴式遊技機やパチンコ台を対象にする。  前記スライド棚に関しては、金属製でも木製でもプラスチック製でも構わないが、金属製であれば耐久性の問題とメンテナンス性の問題でステンレス製が好ましい。また、前記スライド棚は一般的には板体であるが、外見形状を板体にして内部の一部または全体に空洞を設けたものも使用可能であり、また、外見形状を板体に形成させた箱体の使用も可能である。
【０００９】  課題を解決するための第二の手段としては、前記スライド棚のスライド手段が、前記載設板体の上面または下面の所定の位置に略方形で任意寸法の切欠き部を設け、前記切欠き部の一端部と一端部に対向した他端部にレール金具を設け、前記切欠き部の寸法に合わせて加工した板状の棚の所定の一対の端部の所定の位置に前記レール金具と一対のスライド金具を設けたもの、また、前記スライド棚のスライド手段が、前記載設板体の上面または下面の所定の位置に対向する少なくとも二つの溝状が形成され、前記溝状に嵌合するように成形した摺動部を備えた板状体であることを特徴とする、課題を解決するための第一の手段に記載の遊技機械ユニット設備用補助用具を提供することである。
【００１０】  前記レール金具に関しては、細長形状で長手方向に凹状または凸状または凹凸状になっていて、金属製であることが好ましいが、場合によっては、木製でもプラスチック製でも構わない。  前記スライド金具に関しては、摺動方式または車輪方式またはベアリング方式の中から選択して用いればよい。また、前記スライド金具は、金属製であることが好ましいが、場合によっては、木製でもプラスチック製でも構わない。前記スライド手段に関しては、摺動自在に嵌合する金具や用具や形状であれば本発明に用いることができる。
【００１１】  課題を解決するための第三の手段としては、球体またはコイン体を使用する遊技機械を少なくとも一台設置するためのユニット設備の一部に設ける補助用具であり、前記補助用具は前記遊技機械を載設した板体に着脱可能に装着できるようにした物品載置テーブルであり、前記物品載置テーブルは、前記載設板体の下側で前記遊技機械の前面側に着脱可能に係着される係着部と前記係着部を備えた容器体に出し入れ自在に収納されることで、前記遊技機械の正面から前方に向かって所定の距離を摺動したり元の位置に収納したりする手段を備えたことを特徴とする、遊技機械ユニット設備用補助用具を提供することである。
【００１２】  前記テーブル用具に関しては、金属製でも木製でもプラスチック製でも構わないが、金属製であれば耐久性の問題とメンテナンス性の問題でステンレス製が好ましい。前記着脱可能に固着される手段に関しては、ネジ式、ボルト式、嵌め込み金具式、などの中から選択して用いればよい。また、前記テーブル用具は一般的には板体であるが、外見形状を板体にして内部の一部または全体に空洞を設けたものも使用可能であり、また、外見形状を板体に形成させた箱体の使用も可能である。また、物品載置テーブルを出し入れ自在に収納する技術的手段として、前記載設板体の下側で前記遊技機械の前面側に、所定寸法の一対のレール金具を対向かつ所定の間隔で固定し、所定寸法で所定形状の物品載置テーブルの上面の所定部位に前記レール金具と摺動自在に嵌合するようにした一対の作動金具を固定したことで、物品載置テーブルが所定の距離をスライドしたり元の位置に収納したりする手段も使用可能である。また、物品載置テーブルを出し入れ自在に収納する技術的手段として、所定寸法で所定形状の物品載置テーブルの一端および対向する他端が摺動自在に嵌合するようにした一対のスライドレールまたは一つのスライド金具を前記載設板体の下側で前記遊技機械の前面側に固定したことで、前記物品載置テーブルが所定の距離をスライドしたり元の位置に収納したりする手段も使用可能である。また、物品載置テーブルを出し入れ自在に収納する技術的手段として、所定寸法で所定形状の前記物品載置テーブルの一部または全体を収納できるようにし少なくとも一端に開口部を有する筒型形状または箱型形状を形成し、前記形状は前記物品載置テーブルの下面または／及び上面または／及び両側面が摺動自在になるように形成させ、前記形状を前記載設板体の下側で前記遊技機械の前面側に固定したことで、前記物品載置テーブルが所定の距離をスライドしたり元の位置に収納したりする手段も使用可能である。
【００１３】  課題を解決するための第四の手段としては、前記物品載置テーブルは、伸縮可能になるような構造であり、前記伸縮構造が、少なくとも複数の収納部で構成され、前記伸縮収納部の一つに前記係着部を備えることで、前記遊技機械の正面から前方に向かって所定の距離を伸縮したり元の位置に収納したりする手段を備えたことを特徴とする、課題を解決するための第三の手段に記載の遊技機械ユニット設備用補助用具を提供することである。また、前記伸縮構造に関しては、前記物品載置テーブルが長手方向または横手方向に対して伸縮可能になるような構造体であり、前記伸縮構造体が少なくとも複数以上の所定寸法で所定形状の収納構造体で構成され、前記物品載置テーブルを前記載設板体の下側で前記遊技機械の前面側に固定手段を用いて固定したことで、前記物品載置テーブルが所定の距離をスライドしたり元の位置に収納したりする手段を用いてもよい。
【００１４】  課題を解決するための第五の手段としては、前記遊技機械がスロットマシーンまたは回胴式遊技機であることを特徴とする、課題を解決するための第一の手段または課題を解決するための第三の手段に記載の遊技機械ユニット設備用補助用具を提供することである。
【００１５】  課題を解決するための第六の手段としては、前記遊技機械がパチンコ台またはパチンコ機であることを特徴とする、課題を解決するための第一の手段または課題を解決するための第三の手段に記載の遊技機械ユニット設備用補助用具を提供することである。
【発明を実施するための最良の形態】
【００１６】  次に、本発明の遊技機械ユニット設備用補助用具を図１から図４に示す実施の形態に基づいて詳細に説明するが、図１は本発明の実施の形態の一例を示す説明図であり、図２は本発明の実施の形態の一例を示す説明図であり、図３は本発明の使用例を示す説明図であり、図４は本発明の使用例を示す説明図である。【００１７】  図１から図４において、ＳＭはスロットマシーンであり、ＰＭはパチンコ台であり、１０は前記遊技機械のＳＭやＰＭを少なくとも一台設置するためのユニット設備（図示はしないが、金属製や木製や合成樹脂製フレームまたは金属製や木製や合成樹脂製枠体として構成されている）の構成の一部であり、遊技機械ＳＭ，ＰＭを載設する載設板体であり、２０は遊技機械ＳＭ，ＰＭの正面から前方（すなわち遊戯客側）に向かって所定の距離をスライドしたり元の位置に収納したりする手段を備えたスライド棚であり、スライド棚２０は載設板体１０の上面または下面の所定の部位に所定の距離をスライドしたり元の位置に収納したりする手段を備えた内部に設けられる。  スライド棚２０を設ける手段の一例として、載設板体１０に遊技機械ＳＭ，ＰＭが載設される予定の位置に略方形で遊技機械ＳＭ，ＰＭの寸法に合わせて切欠き部を設け、前記切欠き部の一端部１１と一端部１１に対向した他端部１２にそれぞれレール金具１１ａ，１２ａを固着させ、前記切欠き部の寸法に合わせて加工した板状のスライド棚２０の端部２１にレール金具１１ａと一対のスライド金具２１ａを設け、端部２２にレール金具１２ａと一対のスライド金具２２ａを設けたものが、本発明の遊技機械ユニット設備用補助用具である。【００１８】
【００１９】  また、図３と図４は、スライド棚２０の使用例であり、例えば、図３では、遊技機械ＳＭを載設板体１０の所定の位置に載設した後にスライド棚２０を前面（遊戯客側）にスライドさせて使用することによりコイン箱や遊戯客が持参した物品を載置することが可能になり、スライド棚２０を遊技機械ＳＭ側に押し込むことで載設板体１０の内部に収納される。また、例えば、図４では、遊技機械ＰＭを載設板体１０の所定の位置に載設した後にスライド棚２０を前面（遊戯客側）にスライドさせて使用することにより玉箱や遊技者が持参した荷物を載置することが可能になり、スライド棚２０を遊技機械ＰＭ側に押し込むことで載設板体１０の内部に収納される。【００２０】次に、本発明の遊技機械ユニット設備用補助用具を図５から図８に示す実施の形態に基づいて詳細に説明するが、図５は本発明の実施の形態の一例を示す説明図であり、図６は本発明の実施の形態の一例を示す説明図であり、図７は本発明の使用例を示す説明図であり、図８は本発明の使用例を示す説明図である。【００２１】  図５から図８において、ＳＭはスロットマシーンであり、ＰＭはパチンコ台であり、１０は前記遊技機械のＳＭやＰＭを少なくとも一台設置するためのユニット設備（図示はしないが、金属製や木製や合成樹脂製フレームまたは金属製や木製や合成樹脂製枠体として構成されている）の構成の一部である載設板体であり、Ｔは遊技機械ＳＭ，ＰＭを載設した後の載設板体１０に着脱可能に装着できる物品載置テーブルであり、物品載置テーブルＴは、遊技機械ＳＭ，ＰＭの下部に位置する載設板体１０の正面端部に着脱可能に係着される係着部４０と載設板体１０の平面に着脱可能に固着される固着部５０と載置機能を備えた載置部３０とで構成される。物品載置テーブルＴが、載置部３０が長手方向に対して伸縮可能になるような伸縮構造の一例として、載置部３０は収納部３１と収納部３２と先端部３３という構造になっており、収納部３１と収納部３２と先端部３３は夫々摺動可能なように係着されており、先端部３３が収納部３２に収納され、先端部３３を収納した収納部３２が収納部３１に収納される構造になっている。【００２２】
【００２３】  また、図７と図８は、物品載置テーブルＴの使用例であり、例えば、図７では、遊技機械ＳＭを載設板体１０の載設する位置に物品載置テーブルＴを装着したのちにネジなどで固着し、先端部３３を収納部３２から引き出し、収納部３２を収納部３１から引き出すことで載置部３０が構成され、載置部３０にコイン箱を載置することが可能になり、物品載置テーブルＴを遊技機械ＳＭ側に押し込むことで載設板体１０の下部に収納される。また、例えば、図８では、遊技機械ＰＭを載設板体１０の載設する位置に物品載置テーブルＴを装着したのちにネジなどで固着し、先端部３３を収納部３２から引き出し、収納部３２を収納部３１から引き出すことで載置部３０が構成され、載置部３０に玉箱や遊技者が持参した荷物を載置することが可能になり、物品載置テーブルＴを遊技機械ＰＭ側に押し込むことで載設板体１０の下部に収納される。
【発明の効果】
【００２４】  本発明の、遊技機械ユニット設備用補助用具を提供できることで、下記のような発明の効果が期待できる。Ａ．遊技者が少なくとも一つの「コイン箱」を支えるさいに、十分な載置スペースを確保することが可能になり遊技に専念でき楽しむことができる。Ｂ．汎用性があり、一般的な遊技場で用いられているほとんどの遊技機械ユニット設備に使用することか可能になり、商品性が高く、経済的である。Ｃ．遊技者が、遊技中に景品のコインをかきだす際にコイン箱を固定でき、遊技者は疲れず、安心してプレイできる。Ｄ．財布、車のキー等を目の前に安心して置くことができる。Ｅ．箱を落とすことの心配が軽減でき、遊技に集中できる。Ｆ．既存の遊技機械ユニット設備に対して、後付けができるために、業者に依頼せずとも社内のスタッフでも施工ができ、経済的である。
【図面の簡単な説明】
【図１】本発明の実施の形態の一例を示す説明図である。
【図２】本発明の実施の形態の一例を示す説明図である。
【図３】本発明の使用例を示す説明図である。
【図４】本発明の使用例を示す説明図である。
【図５】本発明の実施の形態の一例を示す説明図である。
【図６】本発明の実施の形態の一例を示す説明図である。
【図７】本発明の使用例を示す説明図である。
【図８】本発明の使用例を示す説明図である。
【符号の説明】
ＳＭ    遊技機械（スロットマシーン）ＰＭ    遊技機械（パチンコ台）Ｔ物品載置テーブル１０載設板体２０    スライド棚１１    一端部１２    他端部１１ａ，１２ａ    レール金具２１，２２    端部２１ａ，２２ａ    スライド金具３０    載置部３１    収納部３２    収納部３３    先端部４０    係着部５０    固着部
【手続補正２】
【補正対象書類名】手続補正書
【補正対象項目名】手続補正８
【補正方法】削除
【補正の内容】
【手続補正３】
【補正対象書類名】手続補正書
【補正対象項目名】手続補正９
【補正方法】削除
【補正の内容】
【手続補正４】
【補正対象書類名】手続補正書
【補正対象項目名】手続補正１０
【補正方法】削除
【補正の内容】
【手続補正５】
【補正対象書類名】手続補正書
【補正対象項目名】手続補正１１
【補正方法】削除
【補正の内容】
【手続補正６】
【補正対象書類名】手続補正書
【補正対象項目名】手続補正１２
【補正方法】削除
【補正の内容】
【手続補正７】
【補正対象書類名】手続補正書
【補正対象項目名】手続補正１３
【補正方法】削除
【補正の内容】
【手続補正８】
【補正対象書類名】手続補正書
【補正対象項目名】手続補正１４
【補正方法】削除
【補正の内容】
【手続補正９】
【補正対象書類名】手続補正書
【補正対象項目名】手続補正１５
【補正方法】削除
【補正の内容】
【手続補正１０】
【補正対象書類名】手続補正書
【補正対象項目名】手続補正１６
【補正方法】削除
【補正の内容】
【手続補正１１】
【補正対象書類名】手続補正書
【補正対象項目名】手続補正１７
【補正方法】削除
【補正の内容】
【手続補正１２】
【補正対象書類名】手続補正書
【補正対象項目名】手続補正１８
【補正方法】削除
【補正の内容】
【手続補正１３】
【補正対象書類名】手続補正書
【補正対象項目名】手続補正１９
【補正方法】削除
【補正の内容】
【手続補正１４】
【補正対象書類名】手続補正書
【補正対象項目名】手続補正２０
【補正方法】削除
【補正の内容】
【手続補正１５】
【補正対象書類名】手続補正書
【補正対象項目名】手続補正２１
【補正方法】削除
【補正の内容】
【手続補正１６】
【補正対象書類名】手続補正書
【補正対象項目名】手続補正２２
【補正方法】削除
【補正の内容】
【手続補正１７】
【補正対象書類名】手続補正書
【補正対象項目名】手続補正２３
【補正方法】削除
【補正の内容】
【手続補正１８】
【補正対象書類名】手続補正書
【補正対象項目名】手続補正２４
【補正方法】削除
【補正の内容】